(57)【要約】      （修正有）【課題】稠密炭素を自然燃焼させ、省エネと二酸化炭素の削減を達成する。現在のポテンシャル燃焼からクーロン酸化に変換する。【解決手段】稠密炭素コークスなどを上部開放口より投入し、炉内上部と下部に機能を分岐して酸化燃焼を促進し、拡散燃焼ポテンシャルから、光や磁波、電気や放射線などの熱源であるクーロンエネルギーを酸化反応で誘発して、静圧をもった遠赤外線を中心にした第４次元の宇宙エネルギーを発生させる様にした炉であって、その炭素原子の燃焼した融合熱は外周に配備したアルミナの耐火物である稠密炭素酸化素子に蓄熱し、その放射熱を増幅反射させ、光子をエントロピーにし、原子核の電子を弾き飛ばして中性子に、核振動を励起させて核力エネルギーを創出させ、其の光熱源を上段に誘導させて、原子融合反応素子で再度、純粋な清熱の遠赤に変換させてプラズマアークとして取り出す様にした。【選択図】図１
2006105568.tif 000002
【特許請求の範囲】
【請求項１】
図１と図２の適寸、適材質の開放型の構造体を構築し本体とし本体の斜視図一部、図１の１の上部より炭素を投入し、下部より炭火やガス火又は石油バーナーなどの何れかで着火、燃焼なしてなり、数分後に着火装置を停止させて、以後は自然燃焼で高熱が持続して安定燃焼させる様にした装置で  炉内はアルミナを中心にした特殊な材料と形状のセラミックを多く配備して光熱の遠赤外線を炉内に充満させ安価で二酸化炭素の発生が小ない燃焼装置で地球環境にやさしく省エネ型の多用途の熱源エネルギー発生の稠密炭素燃焼炉
【発明の詳細な説明】
【技術分野】
【０００１】当概、本発明は煙突なしで難燃性の稠密炭素を特殊な小型炉で自然燃焼させたエネルギー装置発生装置で、熱源は、炭素高熱プラズマで熱効率が非常に高く現在の拡散燃焼と違いその用途は医療廃棄物から化学物質まであらゆる物質が煙突なしで大気汚染を発生させることなく高熱炉の中で無害化され、新熱源は多くの用途があり本装置の社会的な貢献度は図り知れないものがある。
［背景技術］【０００２】現在、あらゆる熱源は電気やガス、石油などの化石燃料が全んどでこの燃料は価格が高く将来枯渇します、並びに  ガンタイプなる幼稚なるバーナー燃焼で  地球環境を悪化させております、現在の技術は其の全んどを機械器具などで制御管理し、山林、過疎地、荒地、発展途上国などは使用できません、
現在の燃焼方法は必ず煙突を必要とし大気との比重差で排気をしているこの燃焼方法は不完全燃焼を多く出しておりこの炎は燃焼中の中心部に近くなる程酸素との接触面が小なくなり分子原子間に於ける個々の酸化反応を阻外して  排気は熱膨張による比重差によって排気しておる、これらが従来の技術である
［発明の開示］
［発明が解決しようとしている課題］【０００３】  現在、地球上、あらゆるエネルギー源は拡散燃焼にて、必ず煙突を必要とし  地球がもつ浮力を利用した、煙突による対流排気で燃焼しているのが現状である  この燃焼方法では分子や原子を１００％酸化反応させることは不可能である、当概、発明機構は単原子に至る迄、反応が達成され更に遠赤で酸化をさせるので煙突が必要でなく、融合プラズマを高密度にすることも、静圧力をもたせる事も高温に高めていくも全てが自由に制御できるので、現在地球環境で苦慮している問題が総て解決できるものであると同時に燃焼効率も増大されるものである。
［課題を解決するための手段］【０００４】図５、説明図で、開陣したるを以って為して成るものとしまず本体の上面一部に図５の１の炭素燃料投入口を設け開閉自在口とし炭素燃料口の上より稠密炭素を投入し着火燃焼させ、次に安定して連続燃焼させる為に最下部より空気を層流で吹き上げ、炉内の酸化燃焼を促進させて高熱にし、その光熱を炉内に配備されたアルミナのセラミックに蓄熱させ、遠赤外線を乱反射させて炉内を光熱波にして特殊なセラミックスの波長に同振させて原子内のマイナス電子を励起なさしめて公転軌動より電子を叩き出して原子核に異常振動を誘発させ乍ら核振動の核力をプラズマにして、灰や煙のダイオキシンや公害物を無害化させる様にした装置で第４エネルギー、クーロンにして完全なクリーンなる清熱エネルギーにしたあとあらゆるエネルギー源として活用させる為の手段とするものである。
［発明の効果］【０００５】図１の本体斜視図の炭素酸化燃焼装置でセラミックを中心とした構成物の炉内で炭素燃料を燃焼赤火させてプラズマの高熱レーザーを放射させて高熱の炉心にし燃焼熱を赤外線に移行させて其の清熱で、温水、蒸気、乾燥、暖房、炭化などや光熱で公害物を無害化したり、燃料にしたり、難燃性の稠密炭素を分子融合させ  あらゆる用途に作用させ、あらゆる場所でも作用できる様にした、環境に対しエネルギー源にも作用を及ぼす様にした稠密炭素酸化燃焼装置である。
［発明を実施するための最良の形態］【０００６】  以下本発明の実施例図に基づいて説明する図１〜２全体斜視図の本体をもって稠密炭素酸化燃焼の装置と構成させて図５の１の天上部の開放口より炭素燃料を投入し下部より炭火、ガス、バーナーなどで着火し燃焼させて数分後に停止させ其の後は自然燃焼に移行させ炉内を赤熱高温にさせて各セラミックスに反応させ燃焼熱をポテンシャルから４次元エネルギー、クーロン  エネルギーに変換して  炉内の熱を蓄熱させて強力な赤外線を発生させた稠密炭素酸化燃焼装置とし  上部からは静態エネルギーを、下部噴射口からは動態噴射プラズマを噴射させて燃焼灰は下部最底斜底口から排出し、中段では放射熱を暖房や乾燥、炭化などと蒸気や温水を取り出すようにした実施例とし、二酸化炭素を極端に減小させ更に燃料費を安価にすることができる様な実施例とする。
現在一般社会では化石燃料、石油を中心にしたエネルギーで各種物質を燃焼して煙突より公害を放散させているのが現状である更に感染性の公害物や毒性気体も無害化する方法もなく。技術的に行詰まっているのが現状でもある、併し巨大な費用や設備を完備すれば可能としても、その無害化される量はほんの僅かである併し、これを解決する手段は何もなく世界中が苦慮しているのが実情でもある
本件、稠密炭素酸化燃焼装置は煙突が無く、完全なる炉内の中で外気に触れることなく、ＰＣＢやフロン、重金属や毒性気体、有毒ガスなども、別機器の中で２０００度から３０００度位の高熱で順番に反応処置して最終的には完全無害化クーロンエネルギーにして光にし、そのエネルギーを多目的に利用もできるので有意義な価値がある、併も本装置は一般常識で認知されている設備費用に対して  当概、稠密炭素酸化燃焼は価格が安く  故障が小なく  メンテが容易である為誰れでも設置可能で危険もなく、並びに、既存の嫁働している焼却炉や工場など又、あらゆる産業分野の公害廃棄物も廃油や気体まで、安いランニングコストで高速で連続して無害化できるので  その社会上の貢献度は大きなものが  あると思料しており、省エネに、本件発明は効果大と思料されるものである。
【図１】
2006105568.tif 000003
【図２】
2006105568.tif 000004
【図３】
2006105568.tif 000005
【図４】
2006105568.tif 000006
【図５】
2006105568.tif 000007
【手続補正書】
【提出日】平成16年12月7日(2004.12.7)
【手続補正１】
【補正対象書類名】明細書
【補正対象項目名】全文
【補正方法】変更
【補正の内容】
【発明の詳細な説明】
【技術分野】
【０００１】当概、本発明は煙突なしで難燃性の稠密炭素を特殊な小型炉で自然燃焼させたエネルギー装置発生装置で、熱源は、炭素高熱プラズマで熱効率が非常に高く現在の拡散燃焼と違いその用途は医療廃棄物から化学物質まであらゆる物質が煙突なしで大気汚染を発生させることなく高熱炉の中で無害化され、新熱源は多くの用途があり本装置の社会的な貢献度は図り知れないものがある。  図面の簡単な全文説明に解析された技術［０００７］による技術分野
【背景技術】
【０００２】現在、あらゆる熱源は電気やガス、石油などの化石燃料が全んどでこの燃料は価格が高く将来枯渇します、並びに  ガンタイプなる幼稚なるバーナー燃焼で地球環境を悪化させております、現在の技術は其の全んどを機械器具などで制御管理し、山林、過疎地、荒地、発展途上国などは使用できません、  現在の燃焼方法は必ず煙突を必要とし大気との比重差で排気をしているこの燃焼方法は不完全燃焼を多く出しておりこの炎は燃焼中の中心部に近くなる程酸素との接触面が小なくなり分子原子間に於ける個々の酸化反応を阻外して排気は熱膨張による比重差によって排気しておる、これらが従来の技術である  要約書に開示した図１から図４迄の背景を改良した技術による。
【発明の開示】
【発明が解決しようとしている課題】
【０００３】  現在、地球上、あらゆるエネルギー源は拡散燃焼にて、必ず煙突を必要とし地球がもつ浮力を利用した、煙突による対流排気で燃焼しているのが現状である  この燃焼方法では分子や原子を１００％酸化反応させることは不可能である、当概、発明機構は単原子に至る迄、反応が達成され更に遠赤で酸化をさせるので煙突が必要でなく、融合プラズマを高密度にすることも、静圧力をもたせる事も高温に高めていくも全てが自由に制御できるので、現在地球環境で苦慮している問題が総て解決できるものである、［図５］の作用説明書の通りである。
【課題を解決するための手段】
【０００４】図５、説明図で、開陣したるを以って為して成るものとしまず本体の上面一部に図５の１の炭素燃料投入口を設け開閉自在口とし炭素燃料口の上より稠密炭素を投入し着火燃焼させ、次に安定して連続燃焼させる為に最下部より空気を層流で吹き上げ、炉内の酸化燃焼を促進させて高熱にし、その光熱を炉内に配備されたアルミナのセラミックに蓄熱させ、遠赤外線を乱反射させて炉内を光熱波にして特殊なセラミックスの波長に同振させて原子内のマイナス電子を励起なさしめて公転軌動より電子を叩き出して原子核に異常振動を誘発させ乍ら核振動の核力をプラズマにして、灰や煙のダイオキシンや公害物を無害化させる様にした装置で第４エネルギー、クーロンにして完全なクリーンなる清熱エネルギーにしたあとあらゆるエネルギー源として活用させる為の手段とするものである。
【発明の効果】
【０００５】図１の本体斜視図の炭素酸化燃焼装置でセラミックを中心とした構成物の炉内で炭素燃料を燃焼赤火させてプラズマの高熱レーザーを放射させて高熱の炉心にし燃焼熱を赤外線に移行させて其の清熱で、温水、蒸気、乾燥、暖房、炭化などや光熱で公害物を無害化したり、燃料にしたり、難燃性の稠密炭素を分子融合させ  あらゆる用途に作用させ、あらゆる場所でも作用できる様にした、環境に対しエネルギー源にも作用を及ぼす様にした稠密炭素酸化燃焼装置である。
【発明を実施するための最良の形態】
【０００６】  以下本発明の実施例図に基づいて説明する図１〜２全体斜視図の本体をもって稠密炭素酸化燃焼の装置と構成させて図５の１の天上部の開放口より炭素燃料を投入し下部より炭火、ガス、バーナーなどで着火し燃焼させて数分後に停止させ其の後は自然燃焼に移行させ炉内を赤熱高温にさせて各セラミックスに反応させ燃焼熱をポテンシャルから４次元エネルギー、クーロン  エネルギーに変換して  炉内の熱を蓄熱させて強力な赤外線を発生させた稠密炭素酸化燃焼装置とし上部からは静態エネルギーを、下部噴射口からは動態噴射プラズマを噴射させて燃焼灰は下部最底斜底口から排出し、中段では放射熱を暖房や乾燥、炭化などと蒸気や温水を取り出すようにした実施例とし、二酸化炭素を極端に減小させ更に燃料費を安価にすることができる様な実施例とする。現在一般社会では化石燃料、石油を中心にしたエネルギーで各種物質を燃焼して煙突より公害を放散させているのが現状である更に感染性の公害物や毒性気体も無害化する方法もなく。技術的に行詰まっているのが現状でもある、併し巨大な費用や設備を完備すれば可能としても、その無害化される量はほんの僅かである併し、これを解決する手段は何もなく世界中が苦慮しているのが実情でもある  本件、稠密炭素酸化燃焼装置は煙突が無く、完全なる炉内の中で外気に触れることなく、ＰＣＢやフロン、重金属や毒性気体、有毒ガスなども、別機器の中で２０００度から３０００度位の高熱で順番に反応処置して最終的には完全無害化クーロンエネルギーにして光にし、そのエネルギーを多目的に利用もできるので有意義な価値がある、併も本装置は一般常識で認知されている設備費用に対して当概、稠密炭素酸化燃焼は価格が安く  故障が小なく  メンテが容易である為誰れでも設置可能で危険もなく、並びに、既存の嫁働している焼却炉や工場など又、あらゆる産業分野の公害廃棄物も廃油や気体まで、安いランニングコストで高速で連続して無害化できるので  その社会上の貢献度は大きなものが  あると思料しており、省エネに、本件発明は効果大と思料されるものである。
【図面の簡単な説明】
【０００７】
【図１】は本発明の本体斜視図であり、１，２，３，４，７，の上段の部分と５，６，の下段部分に岐れ、下段部分は燃焼部を中心に酸化を促進し燃焼発熱の炉心の構造体とし、上段は燃焼した熱を２，の原子融合反応素子のセラミックに蓄熱させて赤外線を発生させ３，の赤外線熱放射格子を透過させて炉外の周辺に遠赤を放射させる放熱構造体を基本とした図で全体の斜視図である。
【図２】は、本体を対角に切断した本体の内部の斜視図であり、まず内部下段両端より８，の炭素を戴せるロストルを頂点を合わせた山の様に組み、受棚とし下段床部に燃焼熱を反射させる１０，の赤外線放熱反射板を敷設し、送風機の風バーナーなどの風力を下段の床板に設置した１１，の空気吹き上げ誘導板で層流空気を上部に誘導させる様にした下段の構造とし、その酸化熱を９，の蓄熱素子アルミナセラミックの稠密炭素酸化素子に蓄熱させ上部にプラズマのクーロンを充満させる様にした構造体の内部切断斜視図である。
【図３】は全体内部の部材配置を基本にした中心部を縦に切断した前面よりの全体前面  縦  切断図で、１，の炭素酸化装置本体を以ってした構造体の内部に１，２，９，１０，１１，１２，の部材を組み立て、１３，の稠密炭素コークス燃料を入炭した図で上部を中心にした全体前面の縦の切断図である。
【図４】は本体中心部を側面から縦に切断した図であり、下部を基礎組とした酸化燃焼部にして１２，の消火水が流出する様な本体床斜底ベースの上に８，と９，１０，１１，を配置し１４，の着火送風バーナーを併設して酸化燃焼構造に更に要望に応じた７，の温蒸気管給湯装置も併設も可能とした切断図である
【図５】は全体の作用説明図でまず図１，の炭素酸化装置本体を為して成り、次に下段より８，９，１０，１１，１２，と順次部材を組み付け更に上段装置を２，３，４，と組み立てて完成とし全体を仕上げ、炉内に１３，の稠密炭素燃料コークスを充満し１４，の着火送風バーナーで着火し燃焼させて熱を光に変換し上部の放射部から放熱させる様にした、稠密炭素酸化燃焼プラントである。
【符号の説明】
【０００８】  ［図１］…………［図３］［図５］  の  １，炭素酸化装置本体（本発明品  本体  外壁構造物体）
［図１］…………［図３］［図５］  の  ２，原子融合反応素子（酸化熱を蓄熱し光に変換する材）
［図１］…………［図５］  の  ３，赤外線熱放射格子（遠赤になった熱を放射する格子）
［図１］…………［図５］  の  ４，外枠ストリンガー（本体の外壁になる鋳造物外壁板）
［図１］…………［図５］  の  ５，プラズマ熱噴射口（プラズマ熱を下部から噴出す口）
［図１］…………［図５］  の  ６，酸化燃焼残灰出口（酸化燃焼後の灰を流出する窓口）
［図１］…………［図４］［図５］  の  ７，温蒸気管給湯装置（顧客の要望に合わせた給湯装置）
［図２］…………［図４］［図５］  の  ８，炭素受棚ロストル（稠密炭素を積層させる為の受棚）
［図２］［図３］［図４］［図５］  の  ９，稠密炭素酸化素子（難燃性の稠密炭素を燃焼す素子）
［図２］［図３］［図４］［図５］  の１０，赤外線放熱反射板（赤外線になった熱を放射する板）
［図２］［図３］［図４］［図５］  の１１，空気吹上げ誘導板（層流空気を上部に吹上る誘導板）
［図２］［図３］［図４］［図５］  の１２，本体床斜底ベース（消火後の消火水を流出させる床）
［図３］…………［図５］  の１３，稠密炭素コークス（難燃性の稠密炭素コークス燃料）
［図４］…………［図５］  の１４，着火送風バーナー（１，５００度以上出る着火装置）